(57)【要約】【課題】ネームカードホルダー３などの保持部に対するストラップ２の取り付け位置を、ネームカードホルダー３とストラップ２の両者を一旦切り離すことなく変更可能な吊り下げ器を提供する。【解決手段】ネームカードを保持するネームカードホルダー３と、ネームカードホルダー３と接続したレール部４と、レール部４に嵌合し、レール部４との接続位置が任意の位置に設定されるレール嵌合部５０と、レール嵌合部５０と接続したストラップ部２と、を備える。【選択図】図１
2010011886.tif 000002
【特許請求の範囲】
【請求項１】
被吊り下げ物を保持する保持部と、
前記保持部と接続したレール部と、
前記レール部に嵌合し、レール部との接続位置が任意の位置に設定されるレール嵌合部と、
レール嵌合部と接続したストラップ部と、
を備えた吊り下げ器。
【請求項２】
前記レール嵌合部は、さらに、これに接続されたストラップ部の接続方向を変える接続方向変更部を備えた、請求項１に記載の吊り下げ器。
【請求項３】
ストラップ部と、
ストラップ部と接続したレール部と、
前記レール部に嵌合し、レール部との接続位置が任意の位置に設定されるレール嵌合部と、
前記レール嵌合部に接続された被吊り下げ物を保持する保持部と、
を備えた吊り下げ器。
【請求項４】
前記レール部及び前記レール嵌合部は、さらに、レール部におけるレール嵌合部の位置を所定位置に保つ位置決め部を備えた、請求項１から請求項３の何れか一項に記載の吊り下げ器。
【発明の詳細な説明】
【技術分野】
【０００１】
本発明は、携帯電話との接続紐やネームカードホルダーなどをストラップと接続し、携帯電話やネームカードなどの被吊り下げ物を利用者が吊り下げ保持するための吊り下げ器に関する。
【背景技術】
【０００２】
従来、携帯電話やネームカードなどを利用者の首などから吊り下げる吊り下げ器（いわゆるストラップ機構）が知られている（例えば、特許文献１を参照。）。例えばネームカードが収納されるネームカードホルダーを吊り下げる吊り下げ器では、保持部としてのネームカードホルダーに設けられた貫通孔にストラップが挿通されてなる。
【特許文献１】特開２００１−２１８６１３号公報（例えば図１）
【発明の開示】
【発明が解決しようとする課題】
【０００３】
しかしながら、従来の吊り下げ器は、上記したように保持部におけるストラップの取り付け位置を変えることができなかった。また、ストラップにクリップ等が取り付けられ当該クリップによって保持部を挟むことでストラップと保持部とを接続するようなストラップと保持部との間に間接部材が設けられた吊り下げ器でも同様に、保持部に対するストラップの取り付け位置（クリップ等の間接部材におけるストラップの接合位置／挿通位置）を変えることはできなかった。
【０００４】
取り付け位置を変更するために例えば上記貫通孔をネームカードホルダーに複数設け、いずれの貫通孔にストラップを挿通させるか（いずれの貫通孔をストラップの取り付け位置にするか）変更することで保持部に対するストラップの取り付け位置を変更する吊り下げ器も存在するが、取り付け位置変更作業は、ストラップを現状の取り付け位置から取り外して所望の取り付け位置に取り付ける等の極めて煩雑な作業が必要とされる。
【０００５】
本発明は、保持部に対するストラップの取り付け位置を、両者を一旦切断した状態（間接部材を介しても非接続の状態）とすることなく変更可能な吊り下げ器を提供することを目的とする。
【課題を解決するための手段】
【０００６】
本発明に係る第一の吊り下げ器は、被吊り下げ物を保持する保持部と、保持部と接続されたレール部と、レール部に嵌合し、レール部との接続位置が任意の位置に設定されるレール嵌合部と、レール嵌合部と接続したストラップ部と、を備えている。
本発明に係る第二の吊り下げ器は、ストラップ部と、ストラップ部と接続したレール部と、レール部に嵌合し、レール部との接続位置が任意の位置に設定されるレール嵌合部と、レール嵌合部に接続された被吊り下げ物を保持する保持部と、を備えている。
【発明の効果】
【０００７】
上記説明からも明らかなように、本発明によれば、保持部とストラップとの間を一旦切断した状態にすることなく保持部に対するストラップの取り付け位置を変更可能な吊り下げ器を提供できる。
【発明を実施するための最良の形態】
【０００８】
以下、本発明に係る実施例を、図面を参照しながら詳細に説明する。各実施例に係る吊り下げ器は、ストラップと保持部（ネームカードホルダー）との間にレール部とレール嵌
合部とを備えており、レール嵌合部はレール部に嵌合しつつレール部に沿って移動可能に構成されている。そのため、レール部におけるレール嵌合部の嵌合位置を変更することができ、これにより保持部に対するストラップの取り付け位置を変更することができる。
【実施例１】
【０００９】
図１は、実施例１に係るネームカードホルダーを吊り下げ可能にする第一の吊り下げ器を示した斜視図である。図１に示すように第一の吊り下げ器は、ストラップ２と、ストラップ２が取り付けられた、レール嵌合部５０を備えたストラップ取り付け部５と、レール嵌合部５０が嵌合されるレール部４と、レール部４に溶着された保持部としてのネームカードホルダー３とを備える。
図２は、ストラップ取り付け部５がレール部４の一端側（図１中のＡの位置）に存する状態における図１中の符号４２（位置決め凹部）の延在方向（紙面左下側から右上側方向）の断面図である。図３は、ストラップ取り付け部５の側面図である。図４（Ａ）は、頸部５０１における中心線に直交する断面図であり、図４（Ｂ）は、表側ケース５１を表側（正面側）から眺めた正面図である。以下、図２を中心に各構成要素について詳細に説明する。
【００１０】
＜ネームカードホルダー３＞
ネームカードホルダー３は、投光性の樹脂で構成された表部３０と裏部３１の端部が溶着等されて形成された空間にネームカードが収納・保持されるネームカードの保持部である。裏部３１の一辺（図１においては上側の辺）は、表部３０と接着されず、ネームカードを上記空間に出し入れするための開口部を構成している。当該開口部にはカバー部３２が設けられ、カバー部３２に設けられた凸状部３４と裏部３１に設けられた凹溝３３が嵌め合わされて開口部が閉じられる。
ネームカードホルダー３は、表部３０の端部側（図２における上側）がホルダー取り付け部４６に溶着されてレール部４と接続される。
【００１１】
＜レール部４＞
レール部４は、レール基部４４から一対の壁部である第一壁部４３と第二壁部４５とが起立している。第一壁部４３、レール基部４４及び第二壁部４５により囲まれた空間（レール空間）４７にはストラップ取り付け部５のＬ字状嵌合部５０７が挿通される。第一壁部４３におけるレール空間４７とは反対面側には図１において示す２箇所（レール部４の延在方向両端部に２箇所）に位置決め凹部４２が設けられている。２つの位置決め凹部４２間は、位置決め凹部４２よりも浅い溝部である案内凹部（実施例１においては図示しない。実施例２に係る図５の案内凹部４８も参照。）が延在している。第二壁部４５における位置決め凹部４２よりも先端側（図２における下側）は、位置決め凹部４２よりも肉厚とされ引っかけ凸状部を構成している。第二壁部４５は、先端側（図２における下側）にホルダー取り付け部４６が設けられ、上記の通りネームカードホルダー３が接着されている。
【００１２】
＜ストラップ取り付け部５＞
ストラップ取り付け部５は、レール嵌合部５０と表側ケース５１と裏側ケース５２によって構成されている。
【００１３】
レール嵌合部５０は、レール嵌合部基部５００の一方の面側に頸部５０１が設けられ、頸部５０１の先端側（図２における右側）に頸部５０１よりも径の大きな頭部５０２が設けられている。通常時（組み立てられた状態）には頸部５０１は表側ケース基部５１０の貫通孔部５１１内に挿通されて回動可能であり、頭部５０２は貫通孔部５１１を挿通不能である。したがって、レール嵌合部５０は、頸部５０１及び貫通孔部５１１を中心として表側ケース基部５１０に対して回動可能とされている。
頸部５０１は、原則円筒状であるが、中心軸を基準として９０度間隔で計４つの出っ張り部５０８が設けられている（図４（Ａ）参照。）。貫通孔部５１１は、頭部５０２の径よりも一辺の長さが短く、当該径よりも対角線の長さが長い略矩形状貫通孔である（図４（Ｂ）参照。）。したがって頸部５０１が回動すると出っ張り部５０８が貫通孔部５１１の対角線方向に向いて（上記貫通孔部５１１の頂点側の空間内に配置されて）、貫通孔部５１１に対する相対角度が固定される。貫通孔部５１１の頂点間は、中心線（頸部５０１の中心線と略重なる線）からの距離が頸部５０１の中心線から出っ張り部５０８の最も外側までの距離よりも短いため、所定以上の力を加えない限り出っ張り部５０８と引っかかり頸部５０１の回動が阻止される。すなわち、レール嵌合部５０は、表側ケース基部５１０に対して頭部５０２、貫通孔部５１１を中心に３６０度回転可能であるが、出っ張り部５０８及び貫通孔部５１１によって互いに直角若しくは１８０度の関係にある４つの方向の何れかを向く相対位置（相対方向／相対角度）で固定される。
【００１４】
レール嵌合部５０は、レール嵌合部基部５００における他方の面において端部からＬ字状嵌合部５０７が設けられている。Ｌ字状嵌合部５０７のレール嵌合部壁部５０４はレール嵌合部基部５００から起立しており、端部（図２における左側）からレール嵌合部基部５００に略並行な板状部であるガイド板部５０５が設けられている。ガイド板部５０５は、レール嵌合部壁部５０４及びレール嵌合部基部５００によってレール嵌合部側ガイド空間５０６を形成している。レール嵌合部基部５００のレール嵌合部側ガイド空間５０６には、位置決め凹部４２及び案内凹部に嵌合するレール嵌合部凸状部５０３が設けられている。
【００１５】
第一壁部４３がガイド板部５０５によってレール嵌合部基部５００から離れる方向（図２における右側方向）への移動が規制されているため、レール嵌合部凸状部５０３は、位置決め凹部４２及び案内凹部の何れか一方に必ず嵌る。これにより、レール嵌合部凸状部５０３は図２に示すように引っかけ凸状部４１と係合し合い、レール嵌合部５０に対するレール部４の図２における上側方向への相対移動が規制される。また、上記の通りガイド板部５０５がレール空間４７に挿入されているため、レール嵌合部５０に対するレール部４の図２における下側方向への相対移動も規制されている。したがって、レール嵌合部凸状部５０３は、位置決め凹部４２、４２間を案内凹部に沿ってのみ相対移動することができる。すなわち、レール嵌合部５０を備えたストラップ取り付け部５は、ネームカードホルダー３が取り付けられたレール部４に沿って相対移動可能に構成されている。
【００１６】
表側ケース５１は、上記の通り裏側ケース基部５１０に貫通孔部５１１が設けられたケース部材であり、裏側ケース５２とともに挿通されたストラップ２を保持する（相対位置を一定にする）ストラップ収納空間５２３及び頭部収納空間５２５を形成する。ストラップ収納空間５２３については裏側ケース５２の説明とあわせて説明する。頭部収納空間５２５は、表側ケース５１に対してレール嵌合部基部５００が回動する際の頭部５０２の動きを邪魔しないための空間である。
【００１７】
裏側ケース５２は、裏側ケース基部５２０の端部において表側ケース５１と接続し、ストラップ取り付け部５におけるケース部（本体部）を構成している。裏側ケース基部５２０は一対の裏側ケース壁部５２１、５２１が設けられている。裏側ケース壁部５２１、５２１は、ストラップ取り付け部５内におけるストラップ２が挿通される方向（延在される方向）に沿って設けられており、裏側ケース基部５２０及び表側ケース基部５１０とともにストラップ収納空間５２３を構成する。ストラップ収納空間５２３は、延在方向端部がケース側面に設けられた一対の開口部であるストラップ収納空間開口部５３、５３（図１、図３を参照）を介して外部空間と接続している。
【００１８】
裏側ケース基部５２０におけるストラップ収納空間５２３側には突起部５２２が複数設
けられている。突起部５２２は、ストラップ２に食い込んだり、ストラップ２を表側ケース基部５１０に押しつけるなどして、ストラップ収納空間５２３におけるストラップ２の相対移動を規制する。したがって、通常使用においてストラップ２をストラップ取り付け部５から引き抜くことはできない。
【００１９】
次に、レール部４に対するストラップ取り付け部５の接合位置（取り付け位置）を図１におけるＡの位置（Ａの状態）からＢの位置へ変更する様子、並びに、Ｂの状態においてレール部４を基準としたストラップ取り付け部５を回転させる（ストラップ２との接続方向（延在方向）を変更する（Ｃの状態とする））様子を説明する。
【００２０】
＜状態Ａから状態Ｂへの移動手順＞
図１における状態Ａでは、図２の断面図に示すようにレール嵌合部凸状部５０３が位置決め凹部４２に嵌合しており、また、位置決め凹部４２は上記の通り案内凹部よりも深いため、レール部４におけるレール嵌合部５０の相対的位置が安定的に維持されている。一方、レール嵌合部５０は、ケースを構成する表側ケース５１との相対的位置関係が上記出っ張り部５０８並びに貫通孔部５１１によって維持されるため、状態Ａにおけるレール部４に対するストラップ取り付け部５からのストラップ２の延在方向（ストラップ収納空間開口部５３直近におけるストラップ２の方向）も安定的に維持されている。したがって、図１に示す状態Ａは安定的に維持される。
【００２１】
状態Ａのストラップ取り付け部５にレール部４の延在方向の一定以上の力を加えると、レール嵌合部凸状部５０３が位置決め凹部４２と案内凹部との段差を乗り越え、レール嵌合部凸状部５０３が案内凹部に嵌合した状態となる。嵌合凹部の深さはいずれの箇所でもおおむね同じであるため、レール嵌合部凸状部５０３の案内凹部方向（レール部４延在方向）の位置は制限されない。したがって、ストラップ取り付け部５をレール部４における他端部側である状態Ｂの位置まで移動させることができる。
図１にＢと示す位置には位置決め凹部４２が設けられている。レール嵌合部凸状部５０３は、一旦位置決め凹部４２に嵌合すると、位置決め凹部４２よりも浅い案内凹部側へは所定以上の力を加えないと移動することができないため安定的に嵌合し続ける。したがって、レール部４に対するストラップ取り付け部５の相対位置は状態Ｂに示す位置で安定的に維持される。
【００２２】
＜状態Ｂから状態Ｃへの移動手順＞
状態Ｂにおいて、表ケース５１を挟持してレール嵌合部基部５００に対して（頸部５０１を基準として）回動させると、頸部５０１における出っ張り部５０８が、それまで収納されていた貫通孔部５１１における頂点側の空間から隣接する頂点側における貫通孔部５１１の外周辺において当接する。この状態においてさらに力を加えると、出っ張り部５０８が当該当接箇所から隣接する頂点側へ移動し（当該当接箇所を乗り越え）、隣接する頂点側の空間内に収まる。さらに隣接する頂点側へ移動するにはやはり所定以上の力を加える必要があり、また、元の頂点側へ移動するにも所定以上の力を加える必要がある。すなわち、所定以上の力を加えない限り、出っ張り部５０８は上記隣接する頂点側の空間内に収まった状態が維持される。したがって状態Ｃが安定的に維持される。
【００２３】
このように第一の吊り下げ器は、レール部４に沿ってストラップ取り付け部５の位置を自在に変更することができる。また、位置決め凹部４２が設けられているため、レール部４におけるストラップ取り付け部５の相対位置を特定の位置で安定的に維持できる。
【００２４】
第一の吊り下げ器は、頸部５０１が貫通孔部５１１と嵌合し、表側ケース基部５１０が頭部５０２とレール嵌合部基部５００に挟まれているため、レール部４に対するストラップ収納空間開口部５３の開口方向を変更することができる。また、頸部５０１には出っ張
り部５０８が設けられ、貫通孔部５１１が上記した形状に設計されているため、上記開口方向を特定の方向で安定的に維持できる。
したがって、第一の吊り下げ器は、例えば以下のように活用することもできる。
【００２５】
・縦型名刺及び横型名刺のいずれにも対応可能な吊り下げ器（ネームカードストラップ）とする。
図１における状態Ａや状態Ｂでは、長方形の長手方向に横書きされた名刺やネームカードがネームカードホルダー３に入れられると、当該名刺等（横型名刺）の天地方向は吊り下げ方向と一致する。すなわち状態Ａや状態Ｂは横型名刺に対応した位置である。一方、状態Ｃでは、長方形の長手方向に縦書きされた名刺やネームカードがネームカードホルダー３に入れられた場合に当該名刺等（縦型名刺）の天地方向と吊り下げ方向とが一致する。すなわち状態Ｃは縦型名刺に対応した位置である。
このように、第一の吊り下げ器は、縦型名刺、横型名刺のいずれにも対応することができる。
【００２６】
・ネームカードホルダー３が胸ポケットに入りやすくする。
利用者は、吊り下げ器を首から吊り下げた状態においてネームカードホルダー３を（これに収納された名刺等を）外部から視認できなくしたい場合があり、この場合一般的には利用者の洋服における胸ポケットにネームカードホルダー３を収納する。そして、名刺等の長手方向の長さは胸ポケットの開口部（入り口）の幅よりも一般に長いため、ネームカードホルダー３を胸ポケットに入れる場合には、通常、ネームカードホルダー３の長手方向を天地方向として胸ポケットに挿入される。
この場合、ストラップ取り付け部５はネームカードホルダー３を基準として出っ張った位置となるため胸ポケットの入り口に引っかかってしまい、ネームカードホルダー３の全てを胸ポケットに入れられない場合がある。これに対して第一の吊り下げ器は、ネームカードホルダー３に対するストラップ取り付け部５の位置を状態Ａから状態Ｂや状態Ｃに変更することができるので、ネームカードホルダー３の全て（若しくは多くの部分）を胸ポケットに収納し、ストラップ取り付け部５が胸ポケットの外部に位置させ、ネームカードホルダー３に収納された名刺等の内容を外部から視認できなくすることができる。
【００２７】
また、ストラップ２の長さが足りず、ネームカードホルダー３を胸ポケットに全て収納することができない場合もある。例えば、ストラップ２によって構成された環状部を利用者の首にかけストラップ取り付け部５を胸ポケットに近づけた場合にストラップ取り付け部５が胸ポケットの開口部近傍に位置してしまい、ネームカードホルダー３の一部しか胸ポケットに収納できない場合である。この場合でも、実施例１に係る吊り下げ器は、レール部４に対するストラップ取り付け部５の相対位置を状態Ａから状態Ｂとすることで、ストラップ取り付け部５の位置が変更できなくてもネームカードホルダー３の大部分（全部を含む。）を胸ポケットに収納することが可能となる。
さらに、上記吊り下げ器は、レール部４に対するストラップ収納空間開口部５３からのストラップ２の延在方向を状態Ｂから状態Ｃへ変更できるため、ストラップ収納空間開口部５３、５３を利用者の首側により近づけることができる。したがって、ネームカードホルダー３の胸ポケットへの収納量を状態Ｂよりも多くすることが可能となる。
【実施例２】
【００２８】
実施例２に係る第二の吊り下げ器は、図５に示すようにレール部４の形状が第一吊り下げ器と異なる点が大きな特徴である。以下、第二の吊り下げ器における第一の吊り下げ器との主たる相違点について説明する。なお、図５には第二の吊り下げ器における第一の吊り下げ器と同等の機能を奏する構成要素については同一の符号を付し、当該相違点を除いて説明を省略する。また、レール部４に対するストラップ取り付け部５の係合機構は第一吊り下げ器と同等の機構（同等の作用を奏する機構を含む。）を採用すればよいため、図
２に相当する断面図等を用いた詳細な説明も省略する。
【００２９】
図５に示すように、第二の吊り下げ器のレール部４は曲線部を備え、ネームカードホルダー３の一辺（図中Ｄの位置）からこれに隣接する辺（図中Ｅの位置）に至る、中心角９０度の扇形（１／４円）の円弧におおよそ沿った形状である。レール部４のホルダー取り付け部は、図５における紙面奥側に接着され、レール部４がネームカードホルダー３の表側（表面側；図５における紙面奥側）から視認しにくくされている。レール部４は、その両端（図５中Ｄの位置並びにＥの位置）の２箇所に設けられている。
ネームカードホルダー３は、開口部の位置が第一の吊り下げ器と異なり、カバー部３２がレール部４に対して垂直方向に延在しているが、基本的な機能は第一の吊り下げ器におけるネームカードホルダー３と同等である。
【００３０】
ストラップ取り付け部５は、レール嵌合部がなく、表側ケースからＬ字状嵌合部が延在し、レール嵌合部凸状部等も表側ケース部に設けられている。つまり、第二の吊り下げ器におけるストラップ取り付け部５は、第一の吊り下げ器におけるストラップ取り付け部５からレール部４に対するストラップ収納空間開口部５３近傍のストラップ２の延在方向を変更する機構（回転機構）を省いたものである。
また、ストラップ取り付け部５は（表側ケース及び裏側ケース）は、Ｌ字状嵌合部がレール部４に嵌めあわされた状態でネームカードホルダー３の表側から視認できない大きさにされている。したがって、ネームカードホルダー３の表側からはおおむねネームカードホルダー３及びストラップ２が視認可能とされている。
【００３１】
図５に示す状態Ｄにおいては、レール嵌合部凸状部５０３に相当する表側ケース凸状部が位置決め凹部４２に嵌め合わされ、状態Ｄで安定的に維持されている。この状態においてストラップ取り付け部５に対してレール部４の延在方向に所定以上の力を加えることで上記同様に表側ケース凸状部が位置決め凹部４２と案内凹部４８との段差を乗り越え、表側ケース凸状部が案内凹部４８に嵌合した状態となり、ストラップ取り付け部５をレール部４に沿って自在に移動させることができる。
【００３２】
そして、図５に示すＥの位置までストラップ取り付け部５を動かすと、表側ケース凸状部がＥの位置における位置決め凹部４２と嵌合し合い、ストラップ取り付け部５のレール部４に対する相対位置（状態）がＥの位置（状態）で安定的に維持される。
第二の吊り下げ器は、図５に示すようにレール部４がおおよそ「し」形状であり、ストラップ取り付け部５に回転機構がないため、状態Ｅでは、ストラップ取り付け部５からのストラップ２の延在方向が状態Ｄの場合と９０度傾いた状態（図５では状態Ｄがおおよそ図上側方向で、状態Ｅがおおよそ図左側方向）となる。
【００３３】
第二の吊り下げ器は、特に縦型名刺と横型名刺のいずれにも対応可能な吊り下げ器として有用であるが、レール部の形状を他の用途に適した形状にすることもできる。
【実施例３】
【００３４】
図６に示す実施例３に係る第三の吊り下げ器は、第一の吊り下げ器とはレール部４の長さが異なる点と、レール空間４７が端部において外部空間と連通している点が主たる相違点である。以下、後者の相違点を中心に第三の吊り下げ器について説明する。
【００３５】
レール部４には３つの位置決め凹部４２が設けられており、各位置決め凹部４２間は案内凹部４８によって結ばれている。そして、第三の吊り下げ器は、レール部４の両端側に存する位置決め凹部４２、４２からさらにレール部４延在方向外側に案内凹部４８、４８がレール部４の端部側にまで延在している。レール空間４７は、案内凹部４８と位置決め凹部４２に沿った方向に延在し、実施例３ではさらにレール部４の延在方向端部において
開口している。すなわち、Ｌ字状嵌合部は、レール部４の両端側に位置する開口部からレール空間４７に出し入れ自由である。
【００３６】
第三の吊り下げ器は、上記の通りレール部４にＬ字状嵌合部を挿通自在であり、かつ、位置決め凹部４２とレール嵌合部凸状部とが嵌合することによって状態Ｆ、Ｇ、Ｈにてレール部４とストラップ取り付け部５との相対位置が安定的に維持される。
【００３７】
状態Ｇの位置にあるストラップ取り付け部５を状態Ｆの位置、状態Ｈの位置へ移動させ、さらにはレール部４から取り外す場合には、利用者がネームカードホルダー３を持ちストラップ２から遠ざける方向に所定以上の力を加えると、紐であるストラップ２による回転（ねじり）と、レール嵌合部に対する表側ケースの回転機構による回転によって、案内凹部４８は当該力の方向とほぼ同等の方向に向く。したがって、Ｌ字状嵌合部は、位置決め凹部４２と案内凹部４８との段差をレール嵌合部凸状部が乗り越えると、上記力の方向側の位置決め凹部４２に対応する位置にまで移動し、さらに力を加えるとレール部４から取り外される。
なお、第三の吊り下げ器の状態Ｆ、状態Ｈにおける位置決め凹部４２は、状態Ｇにおける位置決め凹部４２とレール嵌合部凸状部との嵌合状態が解除されてしまった場合に直ちにストラップ取り付け部５がレール部４から外れてしまうことを防止する安全装置としても機能する。
【００３８】
本発明は、上記実施例に限定して解釈されるものではなく、その趣旨・精神に沿って適宜変更することができる。例えば、ネームカードホルダー等の被吊り下げ物の保持部側にＬ字状嵌合部等のレール嵌合部を設け、ストラップ側にレール部を設けても、上記同等の作用・効果を奏する。レール機構も適宜変更することができる。
【図面の簡単な説明】
【００３９】
【図１】実施例１に係る吊り下げ器の斜視図。
【図２】図１に係る吊り下げ器１を位置決め凹部４２の延在方向において切断した断面図。
【図３】図１に係る吊り下げ器１のストラップ取り付け部５の側面図。
【図４Ａ】図１に係る吊り下げ器１の頸部５０１の断面図。
【図４Ｂ】表側ケース５１の表側を示した断面図。
【図５】実施例２に係る吊り下げ器の斜視図。
【図６】実施例３に係る吊り下げ器の斜視図。
【符号の説明】
【００４０】
２：ストラップ、３：ネームカードホルダー、３０：表部、３１：裏部、３２：カバー部、３３：凹溝、３４：凸状部、４：レール部、４１：引っかけ凸状部、４２：位置決め凹部、４３：第一壁部、４４：レール基部、４５：第二壁部、４６：ホルダー取り付け部、４７：レール空間、４８：案内凹部、５：ストラップ取り付け部、５０：レール嵌合部、５００：レール嵌合部基部、５０１：頸部、５０２：頭部、５０３：レール嵌合部凸状部、５０４：レール嵌合部壁部、５０５：ガイド板部、５０６：レール嵌合部側ガイド空間、５０７：Ｌ字状嵌合部、５０８：出っ張り部、５１：表側ケース、５１０：表側ケース基部、５１１：貫通孔部、５２：裏側ケース、５２０：裏側ケース基部、５２１：裏側ケース壁部、５２２：突起部、５２３：ストラップ収納空間、５２４：突起部、５２５：頭部収納空間、５３：ストラップ収納空間開口部
【図１】
2010011886.tif 000003
【図２】
2010011886.tif 000004
【図３】
2010011886.tif 000005
【図４Ａ】
2010011886.tif 000006
【図４Ｂ】
2010011886.tif 000007
【図５】
2010011886.tif 000008
【図６】
2010011886.tif 000009